(57)【特許請求の範囲】
【請求項１】
ポスト本体と扉を有し、ポスト本体の開口端部の上下ヒンジ回動軸によって扉の端縁上下が回動自在に支持されており、ポスト本来の内壁面から扉の裏面側にかけて配設されたストッパー部材の爪部が、扉周囲の折れ曲げリム片に当接することによって扉の回動角度を一定位置で停止させるとともに、このストッパー部材の爪部が扉裏面の突起片を支持しているポスト構造であって、ストッパー部材は、下側ヒンジから延立する垂直片に配設されていることを特徴とするポスト扉構造。
【請求項２】
ストッパー部材が下側ヒンジから延立する垂直片と一体化している請求項１のポスト扉構造。
【請求項３】
ストッパー部材が下側ヒンジから延立する垂直片と別体であり、ストッパー部材は、垂直片の取り付け位置マークに一致した位置に取り付けられている請求項１のポスト扉構造。
【請求項４】
下側ヒンジの回動軸がピン部材であり、このピン部材の上端屈折部が押さえ金具により固定されている請求項１のポスト扉構造。
【発明の詳細な説明】
【０００１】
【発明の属する技術分野】
この出願の発明は、郵便物や新聞等の配達物を受け取るためのポストの構造に関するものである。さらに詳しくは、裏側から配達物を回収するための開平扉が精度よく取り付けられているポスト構造に関するものである。
【０００２】
【従来の技術】
住宅等の玄関先の門柱やエントランスポール、あるいは玄関ドア等には、郵便物や新聞等の配達物を受け取るための設備として、例えば図４に後方斜視図を例示したようなポストが設置されている。
このポストは、ポスト本体（１０）の裏側の開口部に扉（２０）が設けられており、この扉（２０）を開くことによって配達物を回収するようになっている。扉（２０）の周囲には折り曲げリム片（２１ａ〜ｄ）が形成されていて、ポスト本体（１０）に配設された上側ヒンジ（３１）および下側ヒンジ（３２）と、扉（２０）の折り曲げリム片（２１ａ）（２１ｃ）がそれぞれ回動軸（４０）（５０）によって回動自在に支持されている。
【０００３】
また、ポスト本体（１０）の内壁面（１１）から扉裏面（２２）にかけてはストッパー部材（６０）が配設されている。このストッパー部材（６０）は、図５に例示したように、扉（２０）を開いた場合に、一定の角度以上に扉（２０）が回動すると先端の爪部（６１）が扉（２０）の折り曲げリム片（２１ｂ）に当接して扉（２０）の回動を停止させる働きをしている。
【０００４】
さらにまた、このストッパー部材（６０）は、図４に示したように、その爪部（６１）が扉裏面（２２）のコの字型突起片（２３）を支持しており、これによって扉（２０）の下方折り曲げリム片（２１ｃ）が下側ヒンジ（３２）に圧接せず、円滑に回動するようにもなっている。
【０００５】
【発明が解決しようとする課題】
図４に例示したような従来のポスト構造においては、ストッパー部材（６０）の爪部（６１）が、扉裏面（２２）の突起片（２３）に正確に当接するようにストッパー部材（６０）を固定する必要がある。このため、従来のポスト構造では、図５にも例示したように、ポスト本体（１０）の開口部リム（１２）にスリット（１３）を設け、このスリット（１３）からストッパー部材（６０）を差し込み、その平板部（６２）を内壁面（１１）に固定するようにしていた。
【０００６】
しかしながら、この開口部リム（１２）へのスリット（１３）の加工と、スリット（１３）を介したストッパー部材（６０）の取り付け固定は極めて面倒な作業であった。
しかも、ストッパー部材（６０）の平板部（６２）と内壁面（１１）との固定はスポット溶接により行うため、固定時に位置ズレが生じる危険性がある。このため溶接時には何らかの治具等を用いる必要があり、工程のさらなる複雑化の原因ともなっていた。
【０００７】
また、ストッパー部材（６０）の位置ズレにより扉（２０）の折り曲げリム片（２１ｃ）と下側ヒンジ（４０）が圧接することを防ぐため、下側の回動軸（５０）には溝部（５１）が加工され、この溝部（５１）にＥリング（５２）を嵌合させ、このＥリング（５２）によって折り曲げリム片（２１ｃ）と下側ヒンジ（４０）との摩擦を低減するようにしていた。しかしながら、このＥリング（５２）の使用は組立時の工程を複雑化するとともに、扉（２０）の交換作業を困難にする原因となっていた。
【０００８】
この出願の発明は、以上のとおりの事情に鑑みてなされたものであって、従来のポスト構造の問題点を解消し、ストッパー部材を正確な位置に簡単に取り付け固定することのできるポスト構造を提供することを課題としている。
【０００９】
【課題を解決するための手段】
この出願は、前記の課題を解決するための発明として、ポスト本体と扉を有し、ポスト本体の開口端部の上下ヒンジ回動軸によって扉の端縁上下が回動自在に支持されており、ポスト本来の内壁面から扉の裏面側にかけて配設されたストッパー部材の爪部が、扉周囲の折れ曲げリム片に当接することによって扉の回動角度を一定位置で停止させるとともに、このストッパー部材の爪部が扉裏面の突起片を支持しているポスト構造であって、ストッパー部材は、下側ヒンジから延立する垂直片に配設されていることを特徴とするポスト扉構造を提供する。
【００１０】
このポスト構造においては、ストッパー部材が下側ヒンジから延立する垂直片と一体化しているか、または、ストッパー部材が下側ヒンジから延立する垂直片と別体であり、ストッパー部材は垂直片の取り付け位置マークに一致した位置に取り付けられていることを好ましい態様としている。
さらにこの発明のポスト構造においては、下側ヒンジの回動軸がピン部材であり、このピン部材の上端屈折部が押さえ金具により固定されていることを別の好まし態様としてもいる。
【００１１】
【発明の実施の形態】
以下、貼付した図面に沿って実施例を示し、この発明のポスト構造についてさらに詳しく説明する。
【００１２】
【実施例】
図１は、この発明のポスト構造の一実施例を示した後方斜視図であり、図２はこのポスト構造の側断面図およびその要部拡大図である。
図１および図２に例示したように、この発明のポスト構造においては、従来例と同様にポスト本体（１０）の裏側開口部に扉（２０）が設けられており、この扉（２０）の周囲には折り曲げリム片（２１ａ〜ｄ）が形成されていて、ポスト本体（１０）に配設された上側ヒンジ（３１）および下側ヒンジ（７０）と、扉（２０）の折り曲げリム片（２１ａ）（２１ｃ）がそれぞれ回動軸（４０）（８０）によって回動自在に支持されている。
【００１３】
ポスト本体（１０）の内壁面（１１）から扉裏面（２２）にかけてはストッパー部材（９０）が配設されている。このストッパー部材（９０）は下側ヒンジ（７０）から延立する垂直片（７１）と一体化しており、下側ヒンジ（７０）をポスト本体（１０）の底面（１４）と内壁面（１１）とのコーナーに当接させて固定することにより、ストッパー部材（９０）はその爪部（９１）が正確に突起片（２３）を支持する位置に固定される。従って、従来例のように開口部リム（１２）のスリットを介して位置決めを行う必要はなく、図３にも例示したように、開口部リム（１２）を越えてその爪部（９１）を扉裏面（２２）に延設させることができる。
【００１４】
以上のとおりの構成によって、ストッパー部材（９０）を正確な位置に簡単に取り付け固定できるようになっている。
なお、ストッパー部材（９０）は、下側ヒンジ（７０）と別体であってもよい。その場合には、例えば、下側ヒンジ（７０）の垂直片（７１）に位置決めマークを形成し、そのマークに合わせてストッパー部材（９０）を固定することができる。また、垂直片（７１）の上端縁を位置決めマークとし、垂直片（７１）とストッパー部材（９０）のそれぞれの上端縁を一致させるようにすることもできる。
【００１５】
さらに、この図１および図２に例示したポスト構造においては、下側の回動軸（８０）がピン部材であり、このピン部材の上端屈折部（８１）が押さえ金具（８２）およびビス（８３）により固定されている。すなわち、この発明のポスト構造では、前記のとおり、ストッパー部材（９０）の爪部（９１）が正確に突起片（２３）を支持しているため、扉（２０）が下方にズレることはない。このため、下側の回動軸（８０）にＥリングやワッシャ等を介在させる必要はなく、図１および図２に例示したような簡単な構成とすることができる。これによって、回動軸（８０）の取り付け、および扉（２０）の交換等の作業工程は大幅に簡略化される。
【００１６】
もちろん、この発明は以上の例によって限定されるものではなく、細部の構成等については様々な態様が可能であることは言うまでもない。
【００１７】
【発明の効果】
以上詳しく説明したとおり、この出願の発明によって、ストッパー部材を正確な位置に簡単に固定することができ、扉の組立および交換等の作業工程を簡略化することが可能となる。
【図面の簡単な説明】
【図１】この発明のポスト構造の一実施例を示した後方斜視図である。
【図２】図１に例示したポスト構造の側断面図およびその要部拡大図である。
【図３】図１に例示したポスト構造の要部平断面図である。
【図４】従来のポスト構造を例示した後方斜視図である。
【図５】図５に例示した従来のポスト構造の要部平断面図である。
【符号の説明】
１０  ポスト本体
１１  内壁面
１２  開口部リム
１３  スリット
１４  底面
２０  扉
２１ａ〜ｄ  折れ曲がりリム片
２３  突起片
３１  上側ヒンジ
３２  下側ヒンジ
４０  上側回動軸
５０  下側回動軸
５１  溝部
５２  Ｅリング
６０  ストッパー部材
６１  爪部
６２  平板部
７０  下側ヒンジ
７１  垂直片
８０  回動軸
８１  屈折部
８２  押さえ金具
８３  ビス
９０  ストッパー部材
９１  爪部
【図１】
0004524815.tif 000002
【図２】
0004524815.tif 000003
【図３】
0004524815.tif 000004
【図４】
0004524815.tif 000005
【図５】
0004524815.tif 000006